(57)【要約】【課題】電気泳動表示装置等の電気光学装置において、例えばデータ線上或いは走査線上の信号からの例えば電気泳動素子等の電気光学物質への電磁的な悪影響を低減する。【解決手段】電気光学装置は、互いに対向する第１基板（３０１）及び第２基板（３０２）と、第１及び第２基板間に配置された電気光学物質（２３）と、第１基板上に互いに交差するように設けられたデータ線（５０）及び走査線（４０）と、第１基板上におけるデータ線及び走査線よりも上層側に、データ線及び走査線が交差する交差部に対応して設けられた画素電極（２１）とを備える。画素電極の中心（Ｐ１）は、第１基板上で平面的に見て、データ線及び走査線の少なくとも一方に重なる。【選択図】図３
2011221410.tif 000002
【特許請求の範囲】
【請求項１】
互いに対向する第１及び第２基板と、
前記第１及び第２基板間に配置された電気光学物質と、
前記第１基板上に互いに交差するように設けられたデータ線及び走査線と、
前記第１基板上における前記データ線及び前記走査線よりも上層側に、前記データ線及び前記走査線が交差する交差部に対応して設けられた画素電極と
を備え、
前記画素電極の中心は、前記第１基板上で平面的に見て、前記データ線及び前記走査線の少なくとも一方に重なる
ことを特徴とする電気光学装置。
【請求項２】
前記画素電極の中心は、前記第１基板上で平面的に見て前記交差部に重なることを特徴とする請求項１に記載の電気光学装置。
【請求項３】
前記第１基板上における前記画素電極よりも下層側に設けられると共に前記画素電極に電気的に接続され、且つ、前記第１基板上で平面的に見て前記画素電極に重なる蓄積容量を備えることを特徴とする請求項１に記載の電気光学装置。
【請求項４】
請求項１から３のいずれか一項に記載の電気光学装置を備えることを特徴とする電子機器。
【発明の詳細な説明】
【技術分野】
【０００１】
本発明は、例えば電気泳動表示装置、液晶表示装置等の電気光学装置、及び該電気光学装置を備えた電子機器の技術分野に関する。
【背景技術】
【０００２】
この種の電気光学装置の一例として、アクティブマトリクス駆動方式の電気泳動表示装置が知られている（例えば特許文献１参照）。このような電気泳動表示装置では、対向基板及び素子基板間に、電気光学物質として電気泳動素子が配置される。素子基板上には、画素スイッチング素子としてのＴＦＴ（Thin Film Transistor）や、走査線及びデータ線が積層構造として作り込まれ、この積層構造の上層側に画素電極がマトリクス状に配列される。例えば特許文献１には、基板上におけるデータ線及び走査線によって囲まれる領域に配置された画素電極が、その縁部によってデータ線或いは走査線を覆う構成が開示されている。
【先行技術文献】
【特許文献】
【０００３】
【特許文献１】特開２００８−４６５９５号公報
【発明の概要】
【発明が解決しようとする課題】
【０００４】
しかしながら、データ線及び走査線によって囲まれる領域に画素電極が配置される構成では、データ線上或いは走査線上の信号による電界が、互いに隣り合う画素電極間の間隙を介して、画素電極よりも上層側に漏れてしまい、電気泳動素子に電磁的な悪影響を及ぼしてしまうおそれがある。これにより、電気泳動表示装置の表示品位が低下してしまうおそれがあるという技術的問題点がある。
【０００５】
本発明は、例えば上述した問題点に鑑みなされたものであり、例えばデータ線上或いは走査線上の信号からの電気光学物質への電磁的な悪影響を低減でき、高品位な表示を行うことが可能な電気光学装置、及びこのような電気光学装置を備える電子機器を提供することを課題とする。
【課題を解決するための手段】
【０００６】
本発明の電気光学装置は上記課題を解決するために、互いに対向する第１及び第２基板と、前記第１及び第２基板間に配置された電気光学物質と、前記第１基板上に互いに交差するように設けられたデータ線及び走査線と、前記第１基板上における前記データ線及び前記走査線よりも上層側に、前記データ線及び前記走査線が交差する交差部に対応して設けられた画素電極とを備え、前記画素電極の中心は、前記第１基板上で平面的に見て、前記データ線及び前記走査線の少なくとも一方に重なる。
【０００７】
本発明の電気光学装置によれば、例えば、データ線から画素電極へ画像信号（或いはデータ信号）が制御され、所謂アクティブマトリックス方式による画像表示が可能となる。画像信号は、データ線及び画素電極間に電気的に接続されたトランジスターがオン又はオフされることによって、所定のタイミングでデータ線からトランジスターを介して画素電極に供給される。この結果、例えば電気泳動素子、液晶素子等の電気光学物質の電気光学状態が制御され、画像表示が可能となる。画素電極は、第１基板上に互いに交差するように設けられたデータ線及び走査線の交差部に対応して、第１基板上において表示領域となるべき領域に例えばマトリクス状に複数設けられている。
【０００８】
本発明では特に、画素電極の中心は、第１基板上で平面的に見て、データ線及び走査線の少なくとも一方に重なる。ここで、本発明に係る「画素電極の中心」は、第１基板上で平面的に見て、画素電極の真ん中或いは中央に位置する点を意味し、画素電極の重心或いは質量中心と言い換えることもできる。例えば、本発明に係る「画素電極の中心」は、画素電極の平面形状が点対称な形状である場合には、その対称点に一致する。
【０００９】
よって、例えば、仮に、何らの対策も施さず、データ線及び走査線によって囲まれる領域に、画素電極の中心が位置するように、画素電極が配置される場合と比較して、データ線及び走査線の少なくとも一方を画素電極の端部或いは縁部から遠ざけることができる。例えば、第１基板上で平面的に見て、画素電極におけるデータ線に沿う辺とデータ線との間の距離、或いは、画素電極における走査線に沿う辺と走査線との間の距離を比較的大きくすることができる。従って、データ線及び走査線の少なくとも一方の信号による電界が、互いに隣り合う画素電極間の間隙を介して、画素電極よりも上層側に漏れてしまうことを低減できる。即ち、データ線及び走査線の少なくとも一方の信号による電界を画素電極によって遮蔽する効果を高めることができる。これにより、データ線及び走査線の少なくとも一方の信号からの電気光学物質への電磁的な悪影響を低減できる。この結果、表示品位を高めることができる。
【００１０】
以上説明したように、本発明の電気光学装置によれば、データ線及び走査線の少なくとも一方の信号からの電気光学物質への電磁的な悪影響を低減できる。この結果、高品位な表示を行うことが可能となる。
【００１１】
本発明の電気光学装置の一態様では、前記画素電極の中心は、前記第１基板上で平面的に見て前記交差部に重なる。
【００１２】
この態様によれば、例えば、仮に、何らの対策も施さず、データ線及び走査線によって囲まれる領域に、画素電極の中心が位置するように、画素電極が配置される場合と比較して、データ線及び走査線の両方を画素電極の端部或いは縁部から遠ざけることができる。従って、データ線上及び走査線上の信号による電界が、互いに隣り合う画素電極間の間隙を介して、画素電極よりも上層側に漏れてしまうことを低減できる。これにより、データ線及び走査線の両方の信号からの電気光学物質への電磁的な悪影響を低減できる。この結果、表示品位をより高めることができる。
【００１３】
本発明の電気光学装置の他の態様では、前記第１基板上における前記画素電極よりも下層側に設けられると共に前記画素電極に電気的に接続され、且つ、前記第１基板上で平面的に見て前記画素電極に重なる蓄積容量を備える。
【００１４】
この態様によれば、蓄積容量は、当該蓄積容量が電気的に接続される画素電極に重なるので、例えば、蓄積容量が、当該蓄積容量が電気的に接続される画素電極と互いに隣り合う他の画素電極に重なる場合における蓄積容量の充放電の際に、蓄積容量と他の画素電極との間の寄生容量に起因して生じ得る、他の画素電極の電位の変動を低減或いは防止できる。従って、表示品位をより高めることができる。
【００１５】
本発明の電子機器は上記課題を解決するために、上述した本発明の電気光学装置（但し、その各種態様含む）を備える。
【００１６】
本発明の電子機器によれば、上述した本発明の電気光学装置を具備してなるので、高品位な表示を行うことが可能な、投射型表示装置、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。
【００１７】
また、本発明の電子機器として、例えば電子ペーパー等の電気泳動表示装置、電子放出装置（Field Emission Display及びConduction Electron-Emitter Display）、これら電気泳動表示装置、電子放出装置を用いた表示装置を実現することも可能である。
【００１８】
本発明の作用及び他の利得は次に説明する発明を実施するための形態から明らかにされる。
【図面の簡単な説明】
【００１９】
【図１】第１実施形態に係る電気泳動表示装置の全体構成を示すブロック図である。
【図２】第１実施形態に係る電気泳動表示装置の画素の電気的な構成を示す等価回路図である。
【図３】第１実施形態に係る電気泳動表示装置の隣り合う複数の画素の平面図である。
【図４】図３のＡ−Ａ’線断面図である。
【図５】第１実施形態に係る電気泳動表示装置の画素電極の配置を説明するための平面図である。
【図６】第２実施形態に係る電気泳動表示装置の隣り合う複数の画素の平面図である。
【図７】第３実施形態に係る電気泳動表示装置の隣り合う複数の画素の平面図である。
【図８】第４実施形態に係る電気泳動表示装置の隣り合う複数の画素の平面図である。
【図９】電気泳動表示装置を適用した電子機器の一例たる電子ペーパーの構成を示す斜視図である。
【図１０】電気泳動表示装置を適用した適用した電子機器の一例たる電子ノートの構成を示す斜視図である。
【発明を実施するための形態】
【００２０】
以下では、本発明の実施形態について図を参照しつつ説明する。以下の実施形態では、本発明の電気光学装置の一例であるアクティブマトリクス駆動方式の電気泳動表示装置を例にとる。
【００２１】
＜第１実施形態＞
第１実施形態に係る電気泳動表示装置について、図１から図５を参照して説明する。
【００２２】
先ず、本実施形態に係る電気泳動表示装置の全体構成について、図１を参照して説明する。
【００２３】
図１は、本実施形態に係る電気泳動表示装置の全体構成を示すブロック図である。
【００２４】
図１において、本実施形態に係る電気泳動表示装置１は、表示部３と、走査線駆動回路６０と、データ線駆動回路７０と、コントローラー１０と、電源回路２００とを備えている。
【００２５】
表示部３には、ｍ行×ｎ列分の画素２０がマトリックス状（二次元平面的）に配列されている。また、表示部３には、ｍ本の走査線４０（即ち、走査線Ｙ１、Ｙ２、…、Ｙｍ）と、ｎ本のデータ線５０（即ち、データ線Ｘ１、Ｘ２、…、Ｘｎ）とが互いに交差するように設けられている。具体的には、ｍ本の走査線４０は、行方向（即ち、Ｘ方向）に延在し、ｎ本のデータ線５０は、列方向（即ち、Ｙ方向）に延在している。ｍ本の走査線４０とｎ本のデータ線５０との交差に対応して画素２０が配置されている。
【００２６】
コントローラー１０は、走査線駆動回路６０、データ線駆動回路７０及び電源回路２００の動作を制御する。
【００２７】
走査線駆動回路６０は、タイミング信号に基づいて、走査線Ｙ１、Ｙ２、…、Ｙｍの各々に走査信号をパルス的に順次供給する。データ線駆動回路７０は、タイミング信号に基づいて、データ線Ｘ１、Ｘ２、…、Ｘｎに画像信号を供給する。画像信号は、例えば高電位レベル（以下「ハイレベル」という。例えば１５Ｖ）、中電位レベル（例えば０Ｖ）又は低電位レベル（以下「ローレベル」という。例えば−１５Ｖ）の３値的なレベルをとる。尚、画像信号のパルス幅、振幅、画像信号を供給するフレーム数を変調することにより、階調表示を行うこともできる。
【００２８】
電源回路２００は、共通電位線９３に共通電位Ｖｃｏｍを供給する。尚、ここでは図示を省略するが、共通電位線９３は、電気的なスイッチを介して電源回路２００に電気的に接続されている。
【００２９】
尚、コントローラー１０、走査線駆動回路６０、データ線駆動回路７０及び電源回路２００には、各種の信号が入出力されるが、本実施形態と特に関係のないものについては説明を省略する。
【００３０】
図２は、画素の電気的な構成を示す等価回路図である。
【００３１】
図２において、画素２０は、画素スイッチング用トランジスター２４及び蓄積容量（コンデンサー）７０を有する画素回路と、画素電極２１と、共通電極２２と、電気泳動素子２３とを備えている。
【００３２】
画素スイッチング用トランジスター２４は、２つのゲートを有するダブルゲート型（或いはデュアルゲート型）のトランジスターであり、例えばｎチャネル型トランジスターで構成されている。画素スイッチング用トランジスター２４は、その２つのゲートが走査線４０に電気的に接続されており、そのソースがデータ線５０に電気的に接続されており、そのドレインが画素電極２１及び蓄積容量７０に電気的に接続されている。画素スイッチング用トランジスター２４は、データ線駆動回路７０（図１参照）からデータ線５０を介して供給される画像信号を、走査線駆動回路６０（図１参照）から走査線４０を介して供給される走査信号に応じたタイミングで、画素電極２１及び蓄積容量７０に出力する。
【００３３】
画素電極２１には、データ線駆動回路７０からデータ線５０及び画素スイッチング用トランジスター２４を介して、画像信号が供給される。画素電極２１は、電気泳動素子２３を介して共通電極２２と互いに対向するように配置されている。
【００３４】
共通電極２２は、共通電位Ｖｃｏｍが供給される共通電位線９３に電気的に接続されている。
【００３５】
電気泳動素子２３は、電気泳動粒子をそれぞれ含んでなる複数のマイクロカプセルから構成されている。
【００３６】
蓄積容量７０は、誘電体膜を介して対向配置された一対の電極からなり一方の電極が、画素電極２１及び画素スイッチング用トランジスター２４に電気的に接続され、他方の電極が共通電位線９３に電気的に接続されている。蓄積容量７０によって画像信号を一定期間だけ維持することができる。
【００３７】
次に、電気泳動表示装置１の画素の具体的な構成について、図３及び図４を参照して説明する。
【００３８】
図３は、本実施形態に係る隣り合う複数の画素の平面図である。図４は、図３のＡ−Ａ’線断面図である。尚、図３及び図４では、各層・各部材を図面上で認識可能な程度の大きさとするため、該各層・各部材ごとに縮尺を異ならしめてある。また、図３及び図４では、説明の便宜上、本発明に直接関係のある部材のみ示している。
【００３９】
図４において、本発明に係る「第１基板」の一例である基板３０１上に形成された画素電極２１と、本発明に係る「第２基板」の一例である基板３０２上に形成された共通電極２２との間に、電気泳動粒子を夫々含んでなる複数のマイクロカプセルから構成された電気泳動素子２３が挟持されている。ここで、電気泳動素子２３は、画素電極２１との間、又は共通電極２２との間に接着剤を介して配置されていてもよく、また、画素電極２１及び共通電極２２の一方又は両方に接して配置されていてもよい。
【００４０】
図３において、走査線４０がＸ方向に延在し、データ線５０が、走査線４０の延在方向に対して交差するＹ方向に延在している。走査線４０及びデータ線５０の交差に対応して画素電極２１が配置されている。図３に示すように、画素電極２１は、基板３０１（図４参照）上に、マトリクス状に複数設けられている。この複数の画素電極２１の各々に対応して画素スイッチング用トランジスター２４が１つずつ設けられている。
【００４１】
図３及び図４において、画素スイッチング用トランジスター２４は、半導体層２４ａ、ソース電極２４ｓ、ドレイン電極２４ｄ、ゲート電極２４ｇ、及び浮遊電極２４ｆを含んで構成されている。画素スイッチング用トランジスター２４は、走査線４０から走査信号が供給されることで、一定期間だけそのスイッチがオン状態となる（即ち、ソース電極２４ｓ及びドレイン電極２４ｄ間が導通される）。これにより、データ線５０から供給される画像信号が所定のタイミングで、画素２０に書き込まれる（即ち、画素電極２１及び共通電極２２間に画像信号に対応する電圧が印加される）。
【００４２】
ソース電極２４ｓは、データ線５０の一部として形成されており、半導体層２４ａのソース領域２４ａＳに電気的に接続されている。ドレイン電極２４ｄは、後述する蓄積容量７０の上側電極７２と一体的に形成されており、半導体層２４ａのドレイン領域２４ａＤに電気的に接続されている。ゲート電極２４ｇは、走査線４０の一部として形成されている。
【００４３】
図４に示すように、基板３０１上の積層構造における半導体層２４ａとゲート電極２４ｇとの間には、例えば窒化珪素（ＳｉＮｘ）等からなる絶縁膜４１が設けられている。また、半導体層２４ａ、データ線５０及び下側電極７１上には、例えば窒化珪素等からなる保護膜４２が設けられている。
【００４４】
図３及び図４において、各画素２０には、画素電極２１及び共通電極２２間に保持された画像信号に対応する電圧がリークすることを防ぐために、画素電極２１及び共通電極２２間に形成される容量と電気的に並列に蓄積容量７０が付加されている。蓄積容量７０は、上側電極７２、下側電極７１及び絶縁膜４１からなる。
【００４５】
画素電極２１は、保護膜４２及び層間絶縁膜４３に形成されたコンタクトホール８１を介して上側電極７２に電気的に接続されている。
【００４６】
次に、本実施形態に係る画素電極２１の配置について、図３に加えて図５を参照して詳細に説明する。
【００４７】
図５は、本実施形態に係る画素電極の配置を説明するための平面図である。
【００４８】
図３及び図５において、本実施形態では特に、複数の画素電極２１は、各画素電極２１の中心Ｐ１が、基板３０１（図４参照）上で平面的に見て、データ線５０と走査線４０とが互いに交わる交差部Ｃ１（図５参照）に重なるように配置されている。ここで、画素電極２１の中心Ｐ１は、基板３０１上で平面的に見て、画素電極２１の真ん中或いは中央に位置する点であり、画素電極２１の重心或いは質量中心に一致する。本実施形態では、画素電極２１の平面形状は長方形であり、この長方形の２本の対角線の交点が画素電極２１の中心Ｐ１である。
【００４９】
よって、例えば、仮に、何らの対策も施さず、データ線５０及び走査線４０によって囲まれる領域に、画素電極２１の中心Ｐ１が位置するように、画素電極２１が配置される場合と比較して、データ線５０及び走査線４０の両方を画素電極２１の端部或いは縁部から遠ざけることができる。即ち、図５において、画素電極２１におけるデータ線５０に沿う辺２１ａとデータ線５０との間の距離Ｄ１、或いは、画素電極２１における走査線４０に沿う辺２１ｂと走査線４０との間の距離Ｄ２を比較的大きくすることができる。従って、データ線５０上及び走査線４０上の信号による電界が、互いに隣り合う画素電極２１間の間隙を介して、画素電極２１よりも上層側に漏れてしまうことを低減できる。即ち、データ線５０及び走査線４０の信号による電界を画素電極２１によって遮蔽する効果を高めることができる。つまり、画素電極２１がデータ線５０及び走査線４０をシールドする効果を高めることができる。これにより、データ線５０及び走査線４０の両方の信号からの電気泳動素子２３への電磁的な悪影響を低減できる。この結果、表示品位を高めることができる。
【００５０】
以上説明したように、本実施形態に係る電気泳動表示装置１によれば、データ線５０及び走査線４０の両方の信号からの電気泳動素子２３への電磁的な悪影響を低減できる。この結果、高品位な表示を行うことが可能となる。
【００５１】
＜第２実施形態＞
第２実施形態に係る電気泳動表示装置について、図６を参照して説明する。
【００５２】
図６は、第２実施形態に係る隣り合う複数の画素部の平面図である。図６において、図１から図５に示した第１実施形態に係る構成要素と同様の構成要素に同一の構成要素を付し、それらの説明は適宜省略する。
【００５３】
図６において、第２実施形態に係る電気泳動表示装置は、上述した第１実施形態における蓄積容量７０に代えて蓄積容量７０ａ、７０ｂ、７０ｃ及び７０ｄを備える点で、上述した第１実施形態に係る電気泳動表示装置１と異なり、その他の点については、上述した第１実施形態に係る電気泳動表示装置１と概ね同様に構成されている。
【００５４】
図６において、各画素２０には、画素電極２１及び共通電極２２間に保持された画像信号に対応する電圧がリークすることを防ぐために、画素電極２１及び共通電極２２間に形成される容量と電気的に並列に蓄積容量７０ａ、７０ｂ、７０ｃ及び７０ｄが付加されている。蓄積容量７０ａは、上側電極７２ａ、下側電極７１ａ及び絶縁膜４１(図４参照)からなる。蓄積容量７０ｂは、上側電極７２ｂ、下側電極７１ｂ及び絶縁膜４１からなる。蓄積容量７０ｃは、上側電極７２ｃ、下側電極７１ｃ及び絶縁膜４１からなる。蓄積容量７０ｄは、上側電極７２ｄ、下側電極７１ｄ及び絶縁膜４１からなる。
【００５５】
本実施形態では特に、蓄積容量７０ａ、７０ｂ、７０ｃ及び７０ｄの各々は、基板３０１（図４参照）上で平面的に見て、蓄積容量７０ａ、７０ｂ、７０ｃ及び７０ｄが電気的に接続される画素電極２１に重なるように形成されている。即ち、蓄積容量７０ａ、７０ｂ、７０ｃ及び７０ｄは、各々が電気的に接続される画素電極２１に重なるように、且つ、該電気的に接続される画素電極２１に隣り合う他の画素電極２１に重ならないように形成されている。よって、例えば、蓄積容量７０が、当該蓄積容量７０が電気的に接続される画素電極２１と互いに隣り合う他の画素電極２１に重なる場合における蓄積容量７０の充放電の際に、蓄積容量７０と他の画素電極２１との間の寄生容量に起因して生じ得る、他の画素電極２１の電位の変動を低減できる。従って、表示品位をより高めることができる。
【００５６】
＜第３実施形態＞
第３実施形態に係る電気泳動表示装置について、図７を参照して説明する。
【００５７】
図７は、第３実施形態に係る隣り合う複数の画素の平面図である。図７において、図１から図５に示した第１実施形態に係る構成要素と同様の構成要素に同一の構成要素を付し、それらの説明は適宜省略する。
【００５８】
図７において、第３実施形態に係る電気泳動表示装置は、画素電極２１の中心Ｐ１が走査線４０に重なり且つデータ線５０に重なっていない点、及び上述した第１実施形態における蓄積容量７０に代えて蓄積容量７０ｅ及び７０ｆを備える点で、上述した第１実施形態に係る電気泳動表示装置１と異なり、その他の点については、上述した第１実施形態に係る電気泳動表示装置１と概ね同様に構成されている。
【００５９】
図７において、本実施形態では特に、複数の画素電極２１は、各画素電極２１の中心Ｐ１が、基板３０１（図４参照）上で平面的に見て、走査線４０に重なるように配置されている。
【００６０】
よって、例えば、仮に、何らの対策も施さず、データ線５０及び走査線４０によって囲まれる領域に、画素電極２１の中心Ｐ１が位置するように、画素電極２１が配置される場合と比較して、走査線４０を画素電極２１の端部或いは縁部から遠ざけることができる。即ち、画素電極２１における走査線４０に沿う辺と走査線４０との間の距離を比較的大きくすることができる。従って、走査線４０上の信号による電界が、互いに隣り合う画素電極２１間の間隙を介して、画素電極２１よりも上層側に漏れてしまうことを低減できる。即ち、走査線４０の信号による電界を画素電極２１によって遮蔽する効果を高めることができる。これにより、走査線４０上の信号からの電気泳動素子２３への電磁的な悪影響を低減できる。
【００６１】
図７において、各画素２０には、画素電極２１及び共通電極２２間に保持された画像信号に対応する電圧がリークすることを防ぐために、画素電極２１及び共通電極２２間に形成される容量と電気的に並列に蓄積容量７０ｅ及び７０ｆが付加されている。蓄積容量７０ｅは、上側電極７２ｅ、下側電極７１ｅ及び絶縁膜４１(図４参照)からなる。蓄積容量７０ｆは、上側電極７２ｆ、下側電極７１ｆ及び絶縁膜４１からなる。
【００６２】
本実施形態では特に、蓄積容量７０ｅ及び７０ｆの各々は、基板３０１（図４参照）上で平面的に見て、蓄積容量７０ｅ及び７０ｆが電気的に接続される画素電極２１に重なるように形成されている。即ち、蓄積容量７０ｅ及び７０ｆは、各々が電気的に接続される画素電極２１に重なるように、且つ、該電気的に接続される画素電極２１に隣り合う他の画素電極２１に重ならないように形成されている。よって、例えば、蓄積容量７０が、当該蓄積容量７０が電気的に接続される画素電極２１と互いに隣り合う他の画素電極２１に重なる場合における蓄積容量７０の充放電の際に、蓄積容量７０と他の画素電極２１との間の寄生容量に起因して生じ得る、他の画素電極２１の電位の変動を低減できる。
【００６３】
＜第４実施形態＞
第４実施形態に係る電気泳動表示装置について、図８を参照して説明する。
【００６４】
図８は、第４実施形態に係る電気泳動表示装置の隣り合う複数の画素の平面図である。図８において、図１から図５に示した第１実施形態に係る構成要素と同様の構成要素に同一の構成要素を付し、それらの説明は適宜省略する。
【００６５】
図８において、第４実施形態に係る電気泳動表示装置は、画素電極２１の中心Ｐ１がデータ線５０に重なり且つ走査線４０に重なっていない点、及び上述した第１実施形態における蓄積容量７０に代えてを蓄積容量７０ｇ及び７０ｈを備える点で、上述した第１実施形態に係る電気泳動表示装置１と異なり、その他の点については、上述した第１実施形態に係る電気泳動表示装置１と概ね同様に構成されている。
【００６６】
図８において、本実施形態では特に、複数の画素電極２１は、各画素電極２１の中心Ｐ１が、基板３０１（図４参照）上で平面的に見て、データ線５０に重なるように配置されている。
【００６７】
よって、例えば、仮に、何らの対策も施さず、データ線５０及び走査線４０によって囲まれる領域に、画素電極２１の中心Ｐ１が位置するように、画素電極２１が配置される場合と比較して、データ線５０を画素電極２１の端部或いは縁部から遠ざけることができる。即ち、画素電極２１におけるデータ線５０に沿う辺とデータ線５０との間の距離を比較的大きくすることができる。従って、データ線５０上の信号による電界が、互いに隣り合う画素電極２１間の間隙を介して、画素電極２１よりも上層側に漏れてしまうことを低減できる。即ち、データ線５０上の信号による電界を画素電極２１によって遮蔽する効果を高めることができる。これにより、データ線５０上の信号からの電気泳動素子２３への電磁的な悪影響を低減できる。
【００６８】
図８において、各画素２０には、画素電極２１及び共通電極２２間に保持された画像信号に対応する電圧がリークすることを防ぐために、画素電極２１及び共通電極２２間に形成される容量と電気的に並列に蓄積容量７０ｇ及び７０ｈが付加されている。蓄積容量７０ｇは、上側電極７２ｇ、下側電極７１ｇ及び絶縁膜４１(図４参照)からなる。蓄積容量７０ｈは、上側電極７２ｈ、下側電極７１ｈ及び絶縁膜４１からなる。
【００６９】
本実施形態では特に、蓄積容量７０ｇ及び７０ｈの各々は、基板３０１（図４参照）上で平面的に見て、蓄積容量７０ｇ及び７０ｈが電気的に接続される画素電極２１に重なるように形成されている。即ち、蓄積容量７０ｇ及び７０ｈは、各々が電気的に接続される画素電極２１に重なるように、且つ、該電気的に接続される画素電極２１に隣り合う他の画素電極２１に重ならないように形成されている。よって、例えば、蓄積容量７０が、当該蓄積容量７０が電気的に接続される画素電極２１と互いに隣り合う他の画素電極２１に重なる場合における蓄積容量７０の充放電の際に、蓄積容量７０と他の画素電極２１との間の寄生容量に起因して生じ得る、他の画素電極２１の電位の変動を低減できる。
【００７０】
＜電子機器＞
次に、上述した電気泳動表示装置を適用した電子機器について、図９及び図１０を参照して説明する。以下では、上述した電気泳動表示装置を電子ペーパー及び電子ノートに適用した場合を例にとる。
【００７１】
図９は、電子ペーパー１４００の構成を示す斜視図である。
【００７２】
図９に示すように、電子ペーパー１４００は、上述した実施形態に係る電気泳動表示装置を表示部１４０１として備えている。電子ペーパー１４００は可撓性を有し、従来の紙と同様の質感及び柔軟性を有する書き換え可能なシートからなる本体１４０２を備えて構成されている。
【００７３】
図１０は、電子ノート１５００の構成を示す斜視図である。
【００７４】
図１０に示すように、電子ノート１５００は、図９で示した電子ペーパー１４００が複数枚束ねられ、カバー１５０１に挟まれているものである。カバー１５０１は、例えば外部の装置から送られる表示データを入力するための表示データ入力手段（図示せず）を備える。これにより、その表示データに応じて、電子ペーパーが束ねられた状態のまま、表示内容の変更や更新を行うことができる。
【００７５】
上述した電子ペーパー１４００及び電子ノート１５００は、上述した実施形態に係る電気泳動表示装置を備えるので、高品位な表示を行うことが可能である。
【００７６】
尚、図９及び図１０を参照して説明した電子機器の他にも、モバイル型のパーソナルコンピューターや、携帯電話、テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、タッチパネルを備えた装置等が挙げられる。そして、これらの各種電子機器に適用可能なのは言うまでもない。
【００７７】
尚、本発明は、上述の実施形態で説明した電気泳動表示装置以外にも、液晶表示装置等にも適用可能である。
【００７８】
本発明は、上述した実施形態に限られるものではなく、特許請求の範囲及び明細書全体から読み取れる発明の要旨或いは思想に反しない範囲で適宜変更可能であり、そのような変更を伴う電気光学装置及び該電気光学装置を備える電子機器もまた本発明の技術的範囲に含まれるものである。
【符号の説明】
【００７９】
２１…画素電極、２３…電気泳動素子、２４…画素スイッチング用トランジスター、４０…走査線、５０…データ線、７０、７０ａ、７０ｂ、７０ｃ、７０ｄ、７０ｅ、７０ｆ、７０ｇ、７０ｈ…蓄積容量、３０１、３０２…基板
【図１】
2011221410.tif 000003
【図２】
2011221410.tif 000004
【図３】
2011221410.tif 000005
【図４】
2011221410.tif 000006
【図５】
2011221410.tif 000007
【図６】
2011221410.tif 000008
【図７】
2011221410.tif 000009
【図８】
2011221410.tif 000010
【図９】
2011221410.tif 000011
【図１０】
2011221410.tif 000012